(57)【要約】【課題】煩雑な操作を伴うことなく、環境状態に応じて効果音の音量を変更することができるデジタル撮像装置を提供する。【解決手段】デジタルカメラは、マイクによって環境音の大きさを取得し、この環境音の大きさと所定のしきい値とを比較する（ステップＳＴ４３）。環境音の大きさがしきい値を超える場合は、出力音量レベルを通常の基準音量レベルに設定する（ステップＳＴ４７）。一方、環境音の大きさがしきい値以下の場合は、デジタルカメラが配置されている環境が静粛さが要求される環境であると判断し、出力音量レベルを基準音量レベルよりも低い低減音量レベルに設定する（ステップＳＴ４８）。これにより、煩雑な操作を伴うことなく、環境にあわせて効果音の音量を低減することができる。またその結果、静粛さが要求される環境において、環境の要求に適合させることができる。【選択図】　　　　図１０
2004096635.tif 000002
【特許請求の範囲】
【請求項１】
可搬性のデジタル撮像装置であって、
前記デジタル撮像装置の動作に連動して所定の効果音を出力する効果音出力手段と、
前記デジタル撮像装置が配置されている環境状態を検出する環境状態検出手段と、
前記環境状態に応じて前記効果音の音量を変更する音量変更手段と、
を備えることを特徴とするデジタル撮像装置。
【請求項２】
請求項１に記載のデジタル撮像装置において、
前記環境状態検出手段は、環境音の大きさを検出する環境音検出手段、
を備え、
前記音量変更手段は、前記環境音の大きさに応じて前記効果音の音量を変更することを特徴とするデジタル撮像装置。
【請求項３】
請求項１に記載のデジタル撮像装置において、
前記環境状態検出手段は、環境光の明るさを検出する環境光検出手段、
を備え、
前記音量変更手段は、前記環境光の明るさに応じて前記効果音の音量を変更することを特徴とするデジタル撮像装置。
【請求項４】
請求項１に記載のデジタル撮像装置において、
前記環境状態検出手段は、所定の領域内に設けられる信号発信装置から、前記領域の状態を示す環境信号を無線通信により受信する受信手段、
を備え、
前記音量変更手段は、前記環境信号に応じて前記効果音の音量を変更することを特徴とするデジタル撮像装置。
【請求項５】
可搬性のデジタル撮像装置であって、
前記デジタル撮像装置の動作に連動して所定の効果音を出力する効果音出力手段と、
前記効果音の音量を変更する音量変更手段と、
表示内容が被写体側から視認可能な表示手段と、
前記音量変更手段により、前記効果音の音量が基準音量より低減されたとき、前記効果音出力手段が前記効果音を出力すべきタイミングに連動して、前記表示手段を作動させる表示制御手段と、
を備えることを特徴とするデジタル撮像装置。
【発明の詳細な説明】
【０００１】
【発明の属する技術分野】
本発明は、効果音を出力する可搬性のデジタル撮像装置に関する。
【０００２】
【従来の技術】
デジタルカメラなどの可搬性のデジタル撮像装置においては、電子シャッタ方式が採用されることやフィルムの給送動作が必要ないことなどにより、機械的な駆動音の発生が比較的少ない。このため、駆動機構の比較的多い銀塩カメラの操作に慣れたユーザがデジタル撮像装置を操作する場合、その動作状態を把握できず、操作上不安を感じることがある。
【０００３】
このようなことから、従来より、デジタル撮像装置の動作に連動して効果音を出力させる技術が知られている。例えば、特許文献１においては、撮像の開始に連動して、メカニカルシャッタの駆動音の疑似音を出力させるデジタル撮像装置が開示されている。
【０００４】
【特許文献１】
特開２０００−３０７９０２号公報
【０００５】
【発明が解決しようとする課題】
ところで、このような効果音の音量は、デジタル撮像装置が使用される環境状態に応じて変更されることが好ましい。例えば、博物館や展覧会場等の静粛さが要求される場所においては、効果音は周囲の迷惑となる可能性があるため、効果音の音量を低下する、あるいは、効果音の出力を停止することが、マナー上好ましい。
【０００６】
従来のデジタル撮像装置においては、ユーザ設定によって効果音の出力のオン／オフを切り替えるようになっている（例えば、特許文献１参照。）。しかしながら、ユーザにとって、環境状態が変わるごとに設定操作を行うのは非常に煩雑であるとともに、設定操作を失念する可能性もある。
【０００７】
また、このような問題以外にも、効果音についての機能向上が求められてた。特に、効果音の音量を低減した場合、被写体となる人物にとってデジタル撮像装置の動作が把握しにくいため、当該人物に対して撮影が行われるタイミング等を知らせる技術が必要であった。
【０００８】
本発明は、上記課題に鑑みてなされたものであり、効果音に関連する機能を充実させることを第１の目的とする。
【０００９】
また、本発明は、煩雑な操作を伴うことなく、デジタル撮像装置が配置されている環境状態に応じて、効果音の音量を変更することができるデジタル撮像装置を提供することを第２の目的とする。
【００１０】
また、本発明は、効果音の音量が低減されたときであっても、被写体となる人物に対してデジタル撮像装置の動作を認識させることができるデジタル撮像装置を提供することを第３の目的とする。
【００１１】
【課題を解決するための手段】
上記課題を解決するため、請求項１の発明は、可搬性のデジタル撮像装置であって、前記デジタル撮像装置の動作に連動して所定の効果音を出力する効果音出力手段と、前記デジタル撮像装置が配置されている環境状態を検出する環境状態検出手段と、前記環境状態に応じて前記効果音の音量を変更する音量変更手段と、を備えている。
【００１２】
また、請求項２の発明は、請求項１に記載のデジタル撮像装置において、前記環境状態検出手段は、環境音の大きさを検出する環境音検出手段、を備え、前記音量変更手段は、前記環境音の大きさに応じて前記効果音の音量を変更することを特徴とする。
【００１３】
また、請求項３の発明は、請求項１に記載のデジタル撮像装置において、前記環境状態検出手段は、環境光の明るさを検出する環境光検出手段、を備え、前記音量変更手段は、前記環境光の明るさに応じて前記効果音の音量を変更することを特徴とする。
【００１４】
また、請求項４の発明は、請求項１に記載のデジタル撮像装置において、前記環境状態検出手段は、所定の領域内に設けられる信号発信装置から、前記領域の状態を示す環境信号を無線通信により受信する受信手段、を備え、前記音量変更手段は、前記環境信号に応じて前記効果音の音量を変更することを特徴とする。
【００１５】
また、請求項５の発明は、可搬性のデジタル撮像装置であって、前記デジタル撮像装置の動作に連動して所定の効果音を出力する効果音出力手段と、前記効果音の音量を変更する音量変更手段と、表示内容が被写体側から視認可能な表示手段と、前記音量変更手段により、前記効果音の音量が基準音量より低減されたとき、前記効果音出力手段が前記効果音を出力すべきタイミングに連動して、前記表示手段を作動させる表示制御手段と、を備えている。
【００１６】
なお、本明細書において、効果音の音量を「低減」するとは、効果音の音量を「低下」する、および、効果音の出力を「停止」するの双方の概念を含む用語である。
【００１７】
【発明の実施の形態】
以下、図面を参照しつつ本発明の実施の形態について説明する。
【００１８】
＜１．第１の実施の形態＞
＜１−１．デジタルカメラの構成＞
図１および図２は、本発明の実施形態に係る可搬性のデジタル撮像装置であるデジタルカメラ１ａの外観構成を示す図であり、図１は正面図、図２は背面図に相当する。
【００１９】
デジタルカメラ１ａの正面側には、被写体の光像を結像するための撮影レンズ２、被写体を照明するフラッシュ２２、セルフタイマ撮影時などに発光するセルフタイマランプ２３、デジタルカメラ１ａが配置されている場所の環境音を検出するマイク２４、および、デジタルカメラ１ａを保持するためのグリップ部９が設けられる。セルフタイマランプ２３は、その発光が被写体側から視認可能な位置に配置される。
【００２０】
また、グリップ部９の上部には、シャッタボタン１１が設けられる。シャッタボタン１１はユーザが撮像の開始を指示するための操作部であり、半押し状態（Ｓ１状態）と全押し状態（Ｓ２状態）との２段階の押し込み操作を検知可能なように構成される。通常、シャッタボタン１１が半押し状態とされた場合には、フォーカス制御などの撮像準備動作が開始され、全押し状態とされた場合には、記録用の画像を取得する撮像動作（露光）が開始される。
【００２１】
シャッタボタン１１の上方には、電源のオン／オフを切り替えるとともに、「撮影モード」と「再生モード」との間で動作モードを切り替えるダイヤル式のメインスイッチ１４が設けられる。撮影モードは被写体の画像を取得して記録画像として記録する動作モードであり、再生モードは記録画像を再生表示する動作モードである。
【００２２】
グリップ部９の逆側の側面上方には、「画像サイズ」、「露出モード」および「ドライブモード」等の項目を設定するためのファンクションダイヤル１２が設けられている。ファンクションダイヤル１２によって所望の項目にセットした後、グリップ部９上部の選択ダイヤル１３を回転させることにより、セットされた項目の設定内容を順次変更することができる。
【００２３】
例えば、「ドライブモード」の項目では、シャッタボタン１１の押下に直ちに応答して画像の取得を開始する「通常撮影」と、シャッタボタン１１が押下された時点から所定時間が経過した後、画像の取得を開始する「セルフタイマ撮影」との間で設定内容を切り替えることができる。セルフタイマ撮影時には、撮像の開始直前にセルフタイマランプ２３が点滅駆動し、被写体となる人物に撮像開始のタイミングを知らせるようになっている。
【００２４】
デジタルカメラ１ａの背面側には、電子ビューファインダ（以下、「ＥＶＦ」という。）２５および液晶ディスプレイ（以下、「ＬＣＤ」という。）２６が設けられている。ＥＶＦ２５およびＬＣＤ２６には、撮影待機状態におけるライブビュー表示、記録画像の再生表示および設定メニューの表示等がなされる。
【００２５】
ＬＣＤ２６の右方にはメニューボタン１８および十字キー１７が設けられる。十字キー１７は上スイッチ１７Ｕ、下スイッチ１７Ｄ、左スイッチ１７Ｌおよび右スイッチ１７Ｒからなる４連スイッチ、ならびに、その中央の決定ボタン１７Ｃから構成される。メニューボタン１８を押下するとＬＣＤ２６に設定メニューが表示され、設定メニューを参照しつつ十字キー１７を操作することによって、設定内容を入力することができる。
【００２６】
十字キー１７の下方には、スピーカ２７が設けられる。スピーカ２７からは、撮像の開始や十字キー１７の操作など、デジタルカメラ１ａの動作に連動して種々の効果音が出力される。
【００２７】
デジタルカメラ１ａの内部にはカードスロット２９が設けられ、デジタルカメラ１ａの側面から記録媒体であるメモリカード９１を挿入して装着できる。撮影モードにおいて取得された画像はメモリカード９１に記録される。
【００２８】
このようなデジタルカメラ１ａの各種の動作制御は、内部に設けられる全体制御部によって実現される。図３は、全体制御部４を含む、デジタルカメラ１ａの主たる内部構成を機能ブロックとして示す図である。
【００２９】
図３に示す構成のうち、ＣＣＤ３１、信号処理部３２、Ａ／Ｄ変換部３３、画像処理部３４、および、画像メモリ３５等は画像を取得する機能を実現する。
【００３０】
ＣＣＤ３１は、マトリクス状に配列された複数の画素からなる撮像素子であり、撮影レンズ２により結像された被写体の光像を画像信号に光電変換する。ＣＣＤ３１の撮像面はベイヤー配列で各色成分に対応づけられた画素配列となっており、各画素がベイヤー配列に対応するＲ（赤），Ｇ（緑），Ｂ（青）のうちの１色についての値を検出するように構成される。
【００３１】
信号処理部３２は、ＣＤＳ（相関二重サンプリング）回路およびＡＧＣ（オートゲインコントロール）回路等をその内部に有し、ＣＣＤ３１から出力される画像信号（アナログ信号）に所定の信号処理を施す。具体的には、ＣＤＳ回路により画像信号のノイズの低減が行われ、ＡＧＣ回路により画像信号のレベル調整が行われる。
【００３２】
Ａ／Ｄ変換部３３は、信号処理部３２から出力される各画素ごとのアナログの画像信号を例えば１２ビットのデジタル信号に変換する。デジタル信号に変換された画像は、画像処理部３４に入力されるとともに、全体制御部４にも入力され、露出制御やフォーカス制御に用いられる。
【００３３】
画像処理部３４は、画像に対して各種の画像処理を行う専用のチップで構成される。例えば、黒レベル補正、ホワイトバランス補正およびγ補正等の各種補正処理、ならびに、ベイヤー形式の画像の各画素がＲＧＢ全ての色成分についてのデータを有するように画素値を補間する補間処理などが行われる。
【００３４】
画像メモリ３５は、画像を一時的に記憶するバッファメモリであり、例えば６４ＭＢの記憶容量を有すＤＲＡＭなどで構成される。ＣＣＤ３１にて取得された画像は、信号処理部３２、Ａ／Ｄ変換部３３および画像処理部３４にて所定の処理が施された後、画像メモリ３５に格納される。その後、画像に圧縮処理が施され、記録画像としてメモリカード９１に記憶される。
【００３５】
レンズ駆動部２１は、全体制御部４から入力される信号に基づいて、撮影レンズ２の内部に含まれる部材、例えば、被写体像の合焦状態を調節するレンズ群や入射光量を調節する絞り等の駆動を行う。
【００３６】
操作部材１０は、上述したシャッタボタン１１、ファンクションダイヤル１２、メニューボタン１８および十字キー１７等を一の機能ブロックとして示したものである。操作部材１０の操作内容は信号として全体制御部４に入力される。
【００３７】
また、上述したフラッシュ２２、セルフタイマランプ２３、マイク２４、ＥＶＦ２５、ＬＣＤ２６およびスピーカ２７等は、それぞれ全体制御部４に電気的に接続される。これにより、全体制御部４は、これら部材に対して各種信号を送信して制御を行う一方、これら部材から出力される各種信号を受信することができることとなる。
【００３８】
全体制御部４は、マイクロコンピュータを備えて構成される。すなわち、全体制御部４は、各種演算処理を行うＣＰＵ４１と、演算を行うための作業領域となるＲＡＭ４２と、制御プログラム等が記憶されるＲＯＭ４３とを備え、上述したようなデジタルカメラ１ａの各部の動作を統括的に制御する。
【００３９】
全体制御部４の各種の機能は、予めＲＯＭ４３内に記憶される制御プログラムに従ってＣＰＵ４１が演算処理を行うことにより実現される。なお、ＲＯＭ４３はＥＰＲＯＭなどの追記が可能な不揮発性メモリで構成されており、メモリカード９１からの読出などにより、新たな制御プログラムをＲＯＭ４３に格納（インストール）することも可能とされている。図３において露出制御部４４、ＡＦ制御部４５、設定受付部４６および効果音制御部４７は、制御プログラムに従ってＣＰＵ４１が演算動作を行うことにより実現される機能の一部を機能ブロックとして模式的に示している。
【００４０】
露出制御部４４は、取得される画像の明るさが適正になるように調整する露出制御（ＡＥ）を行う。具体的には、Ａ／Ｄ変換部３３から入力される画像から輝度情報を導出し、この輝度情報に基づいてシャッタスピードおよび絞り値を設定する。デジタルカメラ１ａにおいてはシャッタ方式として電子シャッタ方式が採用され、シャッタスピードはＣＣＤ３１の露光時間（電荷蓄積時間）に相当する。したがって、設定されたシャッタスピードはＣＣＤ３１に出力され、ＣＣＤ３１は設定された露光時間だけ露光するように制御される。一方、設定された絞り値はレンズ駆動部２１に出力され、設定された絞り値に相当する開口径となるように撮影レンズ２内の絞りが駆動される。また、露出制御部４４は、被写体が低輝度で露光不足となる場合は、フラッシュ２２を発光、あるいは、信号処理部３２に画像のレベル調整を行わせるなどして、画像の露光不足を解消する。
【００４１】
ＡＦ制御部４５は、画像中の被写体像が合焦状態となるように撮影レンズ２内のレンズ群を移動させるフォーカス制御（ＡＦ）を行う。具体的には、レンズ駆動部２１に信号を送信してレンズ群を駆動させつつ、Ａ／Ｄ変換部３３から入力される画像のコントラストを監視し、コントラストが最も高くなる位置にレンズ群を移動させる。
【００４２】
設定受付部４６は、ユーザの操作部材１０の操作によって入力された信号を受け付け、信号に応じてデジタルカメラ１ａの動作設定を変更する。設定メニューがＬＣＤ２６に表示されているときは、十字キー１７の操作により設定される内容がユーザ設定として設定受付部４６に受け付けられる。このユーザ設定の内容は、ＲＡＭ４２に記憶されるとともにデジタルカメラ１ａの各部に入力される。これにより、デジタルカメラ１ａの各部がユーザ設定に従って動作することとなる。
【００４３】
効果音制御部４７は、デジタルカメラ１ａの動作に連動して所定の効果音をスピーカ２７から出力させる。効果音としては、種々のものが予めＲＯＭ４３内に記憶されており、デジタルカメラ１ａの動作に応じて選択的に使用される。例えば、シャッタボタン１１が押下されて画像が取得されるときには、メカニカルシャッタの駆動音に近似する効果音が選択され、また、十字キー１７などが操作されたときは、その操作に応じた効果音が選択される。そして、選択された効果音がスピーカ２７から出力される。これにより、ユーザに対してデジタルカメラ１ａの動作状態を直感的に把握させることができる。
【００４４】
また、効果音制御部４７は、デジタルカメラ１ａがその時点で配置されている環境状態に応じて効果音の音量を変更させる音量制御を行う。さらに、効果音の音量の低減時においては、効果音を出力すべきタイミングに連動してセルフタイマランプ２３を発光させる制御であるセルフタイマランプ作動制御を行う。このような音量制御やセルフタイマランプ作動制御は、設定受付部４６により受け付けられるユーザ設定に基づいて行われる。
【００４５】
＜１−２．効果音の設定＞
図４は、効果音に関するユーザ設定を受け付ける処理の流れを示す図である。効果音に関する設定メニューは、メニューボタン１８を押下して初期設定メニューを呼び出した後、所定の操作を行うことで表示される。
【００４６】
まず、デジタルカメラ１ａの通常の動作状態において出力する効果音の音量である「基準音量レベル」の設定を受け付ける画面が、図５の如くＬＣＤ２６に表示される。基準音量レベルは、「レベル３」、「レベル２」および「レベル０」から選択可能とされる。ここでレベルｎ（ｎ＝０〜３）は音量を示し、ｎが大きいほど音量が大きいことを示している。また、レベル０は、無音であること、すなわち、効果音の出力を行わないことを示している。
【００４７】
ユーザは十字キー１７の上下スイッチ１７Ｕ，１７Ｄを操作することにより、カーソルＣを所望の項目まで移動させ、決定ボタン１７Ｃを押下することにより、カーソルＣにより選択された項目を設定内容として確定する。これにより、確定された設定内容が設定受付部４６に受け付けられる（ステップＳＴ１１）。なお、この設定メニューにおける操作方法等は以下の説明においても同様である。
【００４８】
設定された基準音量レベルが「レベル２」または「レベル３」の場合（ステップＳＴ１２にて「２ｏｒ３」）は、続いて、効果音の音量を基準音量レベルよりも低減させるときの音量である「低減音量レベル」の設定を受け付ける画面が、図６の如くＬＣＤ２６に表示される。低減音量レベルは、レベル２よりも小さな音量である「レベル１」、および、無音とする「レベル０」から選択可能とされる（ステップＳＴ１３）。なお、設定された基準音量レベルが「レベル０」の場合（ステップＳＴ１２にて「０」）は、さらなる音量の低減は不可能なため、そのまま処理が終了される。
【００４９】
低減音量レベルが設定されると、続いて、効果音の音量を基準音量レベルと低減音量レベルとの間で変更する条件である「音量変更条件」の設定を受け付ける画面が、図７の如くＬＣＤ２６に表示される。音量変更条件は、環境音の大きさに応じて変更する「環境音」と、環境光の明るさに応じて変更する「環境光」と、環境音の大きさおよび環境光の明るさの双方に応じて変更する「環境音および環境光」との間で選択可能とされる（ステップＳＴ１４）。
【００５０】
さらに、音量変更条件が設定されると、セルフタイマランプ作動制御を行うか否かを示す「低減時ランプ動作」の設定を受け付ける画面が、図８の如くＬＣＤ２６に表示される。低減時ランプ動作は、「発光」および「非発光」（セルフタイマランプ２３の能動化／非能動化）から選択可能とされる（ステップＳＴ１５）。低減時ランプ動作の設定がなされると、処理が終了される。
【００５１】
＜１−３．デジタルカメラの動作＞
次に、デジタルカメラ１ａの撮影モードにおける基本的な動作について説明する。図９は、撮影モードの動作の流れを示す図である。
【００５２】
デジタルカメラ１ａは、動作モードが撮影モードに設定されると、撮影待機状態となり、ＣＣＤ３１で取得される画像をＬＣＤ２６等に表示するライブビュー表示（ステップＳＴ２１）、および、効果音の音量の変更などを行う音量制御処理（ステップＳＴ２２）が、シャッタボタン１１が半押しされるまで（ステップＳＴ２３にてＮｏの間）繰り返される。ライブビュー表示は所定の時間間隔で繰り返され、ユーザは被写体の状態をＬＣＤ２６等により確認することができる。この撮影待機状態においてメニューボタン１８を押下すると、ＬＣＤ２６に設定メニューが表示され、上述した効果音に関する設定等を行うことができる。
【００５３】
シャッタボタン１１が半押しされると（ステップＳＴ２３にてＹｅｓ）、露出制御部４４により露出制御（ＡＥ）がなされ（ステップＳＴ２４）、さらに、ＡＦ制御部４５によりフォーカス制御（ＡＦ）がなされる（ステップＳＴ２５）。このとき、効果音を発生させる設定である場合は、シャッタボタン１１の半押し、および、フォーカス制御の終了に応答して、それぞれ所定の効果音がスピーカ２７から出力される。
【００５４】
次に、シャッタボタン１１の全押しを待機する状態へと移行する。シャッタボタン１１の半押しが継続された場合（ステップＳＴ２６にてＮｏ，ＳＴ２７にてＮｏ）は、その間、ライブビュー表示（ステップＳＴ２８）および音量制御処理（ステップＳＴ２９）が繰り返されることとなる。また、シャッタボタン１１の操作が解除された場合（ステップＳＴ２７にてＹｅｓ）は、再度、撮影待機状態に戻る。
【００５５】
一方、シャッタボタン１１が全押しされた場合（ステップＳＴ２６にてＹｅｓ）は、設定された露光時間の間ＣＣＤ３１にて露光が行われて被写体の画像が取得される。このとき、効果音を発生させる設定である場合は、露光の開始に応答してメカニカルシャッタの駆動音に近似する効果音がスピーカ２７から出力される（ステップＳＴ３０）。ＣＣＤ３１にて取得された画像は、信号処理部３２、Ａ／Ｄ変換部３３および画像処理部３４にて所定の処理が施され画像メモリ３５に格納された後、圧縮処理がなされ記録画像としてメモリカード９１に記憶される（ステップＳＴ３１）。画像がメモリカード９１に記録されると、再度、撮影待機状態に戻る。
【００５６】
以上のようにして撮影モードの動作が行われることとなるが、上述したように、撮影待機状態（ステップＳＴ２２）、および、シャッタボタン１１の全押しを待機する状態（ステップＳＴ２９）においてそれぞれ、効果音制御部４７により音量制御処理がなされる。撮影モードの開始時点においては、実際に出力する効果音の音量（以下、「出力音量レベル」という。）は基準音量レベルに設定される。ただし、音量制御処理において、デジタルカメラ１ａが配置されている環境状態が検出され、静粛さが要求される環境で大きな音量の出力が好ましくない場合は、出力音量レベルが低減音量レベルに設定されることとなる。なお、基準音量レベルが「レベル０」の場合は、音量制御処理を行わなくてもよい。
【００５７】
図１０は、この音量制御処理の詳細な流れ示す図である。まず、音量変更条件が確認される（ステップＳＴ４１）。このとき、音量変更条件が「環境光」の場合は、ステップＳＴ４４に進む。
【００５８】
一方、音量変更条件が「環境音」あるいは「環境音および環境光」の場合は、マイク２４により環境音が検出され、この環境音の大きさが効果音制御部４７に取得される（ステップＳＴ４２）。そして、環境音の大きさが、所定の環境音しきい値と比較される（ステップＳＴ４３）。この環境音しきい値は、計測等により定められた値であり、予めＲＯＭ４３等に記憶される。
【００５９】
環境音の大きさが環境音しきい値以下の場合は、デジタルカメラ１ａが配置されている環境は静粛さが要求される環境であると判断される。したがって、大きな音量の出力は好ましくないため、出力音量レベルが基準音量レベルよりも低減された低減音量レベルに設定される（ステップＳＴ４８）。
【００６０】
また、環境音の大きさが環境音しきい値を超える場合は、ステップＳＴ４４に進み、再度、音量変更条件が確認される。このとき、音量変更条件が「環境音」の場合は、デジタルカメラ１ａが配置されている環境は静粛さが要求される環境でないと判断され、ステップＳＴ４７に進み、出力音量レベルが基準音量レベルに設定される。
【００６１】
一方、音量変更条件が「環境光」あるいは「環境音および環境光」の場合は、直前のライブビュー表示動作において取得された画像の輝度情報が露出制御部４４により導出され、この輝度情報が環境光の明るさとして効果音制御部４７に取得される（ステップＳＴ４５）。そして、環境光の明るさが、所定の環境光しきい値と比較される（ステップＳＴ４６）。この環境光しきい値も、計測等により定められた値であり、予めＲＯＭ４３等に記憶される。
【００６２】
環境光の大きさが環境光しきい値以下の場合は、デジタルカメラ１ａが配置されている環境は静粛さが要求される環境であると判断される。したがって、大きな音量の出力は好ましくないため、出力音量レベルが基準音量レベルよりも低減された低減音量レベルに設定される（ステップＳＴ４８）。また、環境光の大きさが環境光しきい値を超える場合は、デジタルカメラ１ａが配置されている環境は静粛さが要求される環境でないと判断されて、出力音量レベルが基準音量レベルに設定される（ステップＳＴ４７）。
【００６３】
このようにして環境状態に応じて出力音量レベルが設定されるが、出力音量レベルが低減音量レベルに設定された場合は、さらに、低減時ランプ動作の設定が確認される（ステップＳＴ４９）。そして、低減時ランプ動作の設定が「発光」の場合は、効果音を出力すべきタイミングに連動してセルフタイマランプ２３を発光させるセルフタイマランプ作動制御が開始される（ステップＳＴ５１）。また、低減時ランプ動作の設定が「非発光」の場合、あるいは、出力音量レベルが基準音量レベルに設定された場合は、セルフタイマランプ作動制御は停止される（ステップＳＴ５０）。
【００６４】
図１１および図１２は、上述した撮影モードの動作の具体例を示すタイムチャートであり、「基準音量レベル」が「レベル３」、「低減音量レベル」が「レベル１」、「低減時ランプ動作」が「発光」にそれぞれ設定されている場合を示している。図１１は、デジタルカメラ１ａが配置されている環境が静粛さが要求される環境でなく、出力音量レベルが基準音量レベルのまま変更されない場合の例を示している。また、図１２は、デジタルカメラ１ａが配置されている環境が静粛さが要求される環境であり、出力音量レベルが低減音量レベルに低減される場合の例を示している。
【００６５】
図１１に示すように、静粛さが要求される環境でない場合は、時点ｔ１においてシャッタボタン１１が半押し（Ｓ１）されると、これに応答して、露出制御（ＡＥ）が開始されるとともに、スピーカ２７から基準音量レベル（レベル３）で短い効果音が出力される。そして、露出制御（ＡＥ）が完了するとフォーカス制御（ＡＦ）が開始され、時点ｔ２においてこのフォーカス制御（ＡＦ）が完了すると、この完了に応答してスピーカ２７から基準音量レベル（レベル３）で短い効果音が出力される。
【００６６】
さらに、時点ｔ３においてシャッタボタン１１が全押し（Ｓ２）されると、これに応答して、露光が開始されるとともに、メカニカルシャッタの駆動音に近似する効果音がスピーカ２７から基準音量レベル（レベル３）で出力される。露光が終了すると、取得された画像は所定の処理が行われて記録される。
【００６７】
前述したように、出力音量レベルが基準音量レベルの場合はセルフタイマランプ作動制御は停止されるため、図１１の場合において、セルフタイマランプ２３の発光はいずれの時点においてもなされない。
【００６８】
このように、静粛さが要求される環境でない場合は、シャッタボタン１１の半押し時点ｔ１、フォーカス制御（ＡＦ）の完了時点ｔ２、および、シャッタボタン１１の全押し時点ｔ３においてそれぞれ、比較的大きな基準音量レベルで効果音が出力される。このため、ユーザがデジタルカメラ１ａの動作状態を容易に把握することができる。また、被写体が人物である場合は、このような効果音によって、被写体となる人物に対して撮影が行われるタイミングを認識させることができる。
【００６９】
一方、図１２に示すように、静粛さが要求される環境の場合は、シャッタボタン１１の半押し時点ｔ１において、図１１と同様に露出制御（ＡＥ）が開始されるが、スピーカ２７からは、基準音量レベルよりも低減された低減音量レベル（レベル１）で短い効果音が出力される。なお、低減音量レベルが「レベル０」に設定されていた場合は、効果音は出力されず無音となる（以降も同様）。
【００７０】
また、この効果音を出力すべきタイミングに連動して、効果音制御部４７のセルフタイマ作動制御により、セルフタイマランプ２３が発光され、以降、所定の周期でセルフタイマランプ２３の発光が繰り返される（点滅駆動される）。なお、低減時ランプ動作が「非発光」に設定されていた場合は、セルフタイマランプ２３の発光はなされない（以降も同様）。
【００７１】
フォーカス制御（ＡＦ）の完了時点ｔ２においても、スピーカ２７からは低減音量レベル（レベル１）で短い効果音が出力される。また、この効果音を出力すべきタイミングに連動して、セルフタイマランプ２３の発光の周期が短縮される。そして、シャッタボタン１１の全押し時点ｔ３においては、メカニカルシャッタの駆動音に近似する効果音がスピーカ２７から低減音量レベル（レベル１）で出力され、この効果音を出力すべきタイミングに連動して、比較的長い期間、セルフタイマランプ２３が発光される。
【００７２】
このように、静粛さが要求される環境の場合は、出力音量レベルを基準音量レベルよりも低減させることから、効果音の音量が低下あるいは出力そのものが停止されるため、周囲の迷惑とならず環境の要求（場に応じたマナー等）に適合させることができる。
【００７３】
また、効果音の音量を低減させると、被写体となる人物に対して撮影が行われるタイミングを認識させることが困難となる可能性がある。しかしながら、デジタルカメラ１ａでは、効果音を出力すべきタイミングに連動してセルフタイマランプ２３を作動させるため、効果音の音量が低減された場合であっても、被写体となる人物に対して撮影が行われるタイミングを容易に認識させることができることとなる。
【００７４】
以上、第１の実施の形態について説明を行ったが、本実施の形態のデジタルカメラ１ａでは、デジタルカメラ１ａが配置されている環境状態を検出し、検出された環境状態に応じて効果音の出力音量レベルを変更する。このため、煩雑な操作を伴うことなく、デジタルカメラ１ａが配置されている環境にあわせて効果音の音量を変更させることができる。特に静粛さが要求される環境においては、効果音の出力音量レベルを基準音量レベルよりも低減させた低減音量レベルに設定し、効果音の音量を低下あるいは効果音の出力を停止するため、環境の要求に適合させることができる。
【００７５】
また、環境状態を、マイク２４から得られる環境音の大きさ、あるいは、ＣＣＤ３１から得られる環境光の明るさとして検出することから、容易かつ的確に環境状態を検出することができる。また、簡易な構成で実現することができ、コストアップに繋がることもない。
【００７６】
また、効果音の音量が基準音量レベルより低減されたときであっても、効果音を出力すべきタイミングに連動して、被写体側から発光が視認可能なセルフタイマランプ２３が作動するため、被写体となる人物に対しても、デジタルカメラ１ａの動作を的確に認識させることができる。
【００７７】
また、このセルフタイマランプ２３は、ユーザ設定により発光／非発光（能動化／非能動化）を切り替えることができる。したがって、子供の寝顔を撮影する場合など、セルフタイマランプ２３の発光が好ましくない環境においては、セルフタイマランプ２３を非能動化することで、環境の要求にさらに適合させることができる。
【００７８】
また、セルフタイマランプ２３は、本来のセルフタイマランプとしての機能とともに、効果音を出力すべきタイミングに連動して発光する機能を有している。すなわち、デジタルカメラ１ａでは、効果音を出力すべきタイミングに連動して作動する表示手段と、セルフタイマランプとが兼用される。したがって、デジタルカメラ１ａを小型化することができ、コストアップに繋がることもない。
【００７９】
＜２．第２の実施の形態＞
次に、本発明の第２の実施の形態について説明する。第１の実施の形態においては、デジタル撮像装置が配置されている環境状態を、環境音の大きさあるいは環境光の明るさによって検出するようにしていたが、本実施の形態のデジタル撮像装置では、所定の領域内に設けられる信号発信装置から、当該領域の状態を示す環境信号を受信することにより検出するようにしている。
【００８０】
図１３は、本実施の形態に係る可搬性のデジタル撮像装置であるデジタルカメラ１ｂが適用される環境状態提供システム１００の構成例を示す図である。図１３に示すように、環境状態提供システム１００は複数の信号発信装置５と、デジタルカメラ１ｂとを含むものとなっている。なお、図１８においては、一つのデジタルカメラ１ｂのみを図示しているが、多数のデジタルカメラ１ｂが含まれていてもよい。
【００８１】
信号発信装置５はそれぞれ、建物や部屋などの領域５０内に固定して設置されており、自身が設置される領域５０に係る固有の環境情報を記憶している。すなわち、図に示す領域５０ａ、５０ｂ、５０ｃおよび５０ｄそれぞれの信号発信装置５には、それぞれ別の環境情報が記憶される。この環境情報には、自身が設置される領域５０が静粛さが要求される環境であるか否かを示す情報が含まれている。
【００８２】
信号発信装置５およびデジタルカメラ１ｂはそれぞれ、Ｂｌｕｅｔｏｏｔｈ（Ｒ）等の規格に準拠した所定の通信方式によって近傍の外部装置と無線通信が可能とされている。信号発信装置５は、環境情報を含む信号を環境信号として、近傍にあるデジタルカメラ１ｂに対して送信する。一方、可搬性のデジタルカメラ１ｂは、領域５０内に配置されたときのみ信号発信装置５から環境信号を受信する。したがって、デジタルカメラ１ｂは、受信する環境信号に含まれる情報を判断することにより、自身が配置されている環境が静粛さが要求される環境であるか否かを判断することができるわけである。
【００８３】
本実施の形態のデジタルカメラ１ｂの外観構成は、図１および図２に示すものと同様である。また、図１４は、デジタルカメラ１ｂの主たる内部構成を機能ブロックとして示す図である。図１４に示すように、デジタルカメラ１ｂの内部構成は、図３に示すものに、さらに、無線通信インタフェース機能を有するデータ通信部２８を備えたものとなっている。このデータ通信部２８により、信号発信装置５から送信される環境信号の受信が可能とされる。
【００８４】
デジタルカメラ１ｂの効果音に関するユーザ設定を受け付ける処理は、図４に示すものとほぼ同様であるが、音量変更条件の設定の受け付け（ステップＳＴ１４）はなされない。したがって、デジタルカメラ１ｂには、「基準音量レベル」、「低減音量レベル」および「低減時ランプ動作」のみが設定される。
【００８５】
また、デジタルカメラ１ｂの撮影モードにおける基本的な動作は、図９に示すものと同様であるが、音量制御処理（ステップＳＴ２２，ＳＴ２９）の処理内容が相違している。
【００８６】
図１５は、本実施の形態のデジタルカメラ１ｂの音量制御処理の詳細な流れを示す図である。まず、信号発信装置５から環境信号を受信したか否かが確認される（ステップＳＴ６１）。ここで、環境信号の受信が無い場合は、出力音量レベルの変更は必要ないため、そのまま処理を終了する。
【００８７】
環境信号を受信した場合は、当該環境信号に含まれる環境情報が確認され、デジタルカメラ１ｂが配置されている環境は静粛さが要求される環境であるか否かが判断される。すなわち、これにより、出力音量レベルの低減が必要か否かが判断される（ステップＳＴ６２）。
【００８８】
出力音量レベルの低減が必要と判断された場合は、出力音量レベルが基準音量レベルよりも低減された低減音量レベルに設定される（ステップＳＴ６４）。さらに、低減時ランプ動作の設定が確認され（ステップＳＴ６５）、低減時ランプ動作が「発光」の場合はセルフタイマランプ作動制御が開始され（ステップＳＴ６７）、低減時ランプ動作が「非発光」の場合はセルフタイマランプ作動制御は停止される（ステップＳＴ６６）。
【００８９】
一方、出力音量レベルの低減が必要でないと判断された場合は、出力音量レベルが基準音量レベルに設定され（ステップＳＴ６３）、セルフタイマランプ作動制御が停止されることとなる（ステップＳＴ６６）。
【００９０】
このような処理により、本実施の形態のデジタルカメラ１ｂにおいても、第１の実施の形態と同様に、煩雑な操作を伴うことなく、デジタルカメラ１ｂが配置されている環境にあわせて効果音の音量を変更させることができる。特に静粛さが要求される環境においては、効果音の出力音量レベルを基準音量レベルよりも低減させた低減音量レベルに設定し、効果音の音量を低下あるいは効果音の出力を停止するため、環境の要求に適合させることができる。
【００９１】
また、本実施の形態のデジタルカメラ１ｂでは、所定の領域内に設けられる信号発信装置からの環境信号を受信することで環境状態を検出する。したがって、環境状態を環境信号として正確に検出することができ、環境状態の誤認識を防止することができる。
【００９２】
＜３．第３の実施の形態＞
次に、本発明の第３の実施の形態について説明する。上記実施の形態のデジタル撮像装置は、デジタルカメラ１ａ，１ｂであるとして説明を行ったが、撮像手段を有する携帯電話であってもよい。
【００９３】
図１６は、このような場合のデジタル撮像装置の背面側の外観構成を示す図である。図に示すように、デジタル撮像装置である携帯電話１ｃは、表示部６０ａが本体部６０ｂに対して軸Ｓを中心として回転自在に接続された構成となっており、折り畳み可能とされている。
【００９４】
表示部６０ａには、被写体の光像を結像するレンズ６１、必要に応じて補助光を発光する補助光発光部６２、種々の表示を行うＬＣＤ６３、および、撮像の開始を指示するためのサイドボタン６５ａ等が設けられている。
【００９５】
また、本体部６０ｂには、ユーザの音声とともに環境音を検出するマイク６４、各種操作を行う操作ボタン６５ｂ、通話のための電波を受信するアンテナ６６ａ、および、各種の効果音を出力するスピーカ６７等が設けられている。さらに、本体部６０ｂの側面には、カードスロット６９が設けられており、画像等を記録可能な記録媒体であるメモリカード９２を装着可能とされている。
【００９６】
携帯電話１ｃの各種の動作制御は、内部に設けられる全体制御部８により実現される。図１７は、全体制御部８を含む、携帯電話１ｃの主たる内部構成を機能ブロックとして示す図である。
【００９７】
図１７に示す構成のうち、ＣＣＤ７１、信号処理部７２、Ａ／Ｄ変換部７３、画像処理部７４および画像メモリ７５は、図３に示すＣＣＤ３１、信号処理部３２、Ａ／Ｄ変換部３３、画像処理部３４および画像メモリ３５の機能にそれぞれ相当し、画像を取得する機能を実現する。取得された画像は、メモリカード９２に記録される。
【００９８】
データ通信部６８は、Ｂｌｕｅｔｏｏｔｈ（Ｒ）等の規格に準拠した所定の通信方式によって近傍の外部装置と無線通信を行う無線通信インタフェース機能を有している。電話通信部６６は、音声信号を変調する変調回路等の種々の信号処理回路を含み、アンテナ６６ａを介しての通話を実現する。また、操作部材６５は、上述したサイドボタン６５ａおよび操作ボタン６５ｂ等を一の機能ブロックとして示している。これらデータ通信部６８、電話通信部６６および操作部材６５はそれぞれ全体制御部８に電気的に接続される。また、上述した補助光発光部６２、ＬＣＤ６３、マイク６４およびスピーカ６７も全体制御部８に電気的に接続される。これにより、携帯電話１ｃの各部は全体制御部８により制御される。
【００９９】
全体制御部８は、図３の全体制御部４と同様にマイクロコンピュータを備えて構成される。すなわち、全体制御部８は、ＣＰＵ８１、ＲＡＭ８２およびＲＯＭ８３を備え、ＲＯＭ８３内に記憶される制御プログラムに従ってＣＰＵ８１が演算処理を行うことにより各種の機能が実現され、各部の動作を統括的に制御する。また、ＲＯＭ８３内には、予め種々の効果音が記憶されている。
【０１００】
図１７中の露出制御部８４、設定受付部８６、効果音制御部８７および通話制御部８８は、制御プログラムに従ってＣＰＵ８１が演算処理を行うことにより実現される機能の一部を機能ブロックとして模式的に示している。このうち、露出制御部８４、設定受付部８６および効果音制御部８７は、図３における露出制御部４４、設定受付部４６および効果音制御部４７の機能にほぼ相当する。また、通話制御部８８は、通話時における各種の制御を行う。
【０１０１】
以上のように構成される携帯電話１ｃは、上記第１および第２の実施の形態に示したデジタル撮像装置の動作のいずれにも適用することが可能である。
【０１０２】
第１の実施の形態の動作に適用する場合は、設定メニューはＬＣＤ６３に表示され、図４の流れと同様にして、操作ボタン６５ｂの操作により効果音に関する各種のユーザ設定がなされる。また、図９に示したものとほぼ同様に、サイドボタン６５ａの操作によって画像が取得される。音声制御処理は、図１０の流れと同様にして行われ、環境音の大きさはマイク６４、環境光の明るさはＣＣＤ７１によってそれぞれ取得される。これにより、携帯電話１ｃが配置されている環境が静粛さが要求される環境の場合は、効果音の音量が低減される。また、効果音の音量を低減する際には、効果音を出力すべきタイミングに連動して、補助光発光部６２が作動することとなる。
【０１０３】
一方、第２の実施の形態の動作に適用する場合は、信号発信装置５から送信される環境信号がデータ通信部６８により受信され、音声制御処理が図１５の流れと同様にして行われる。これにより、携帯電話１ｃが配置されている環境が静粛さが要求される環境の場合は、効果音の音量が低減されることとなる。
【０１０４】
なお、音量を低減させる効果音は、撮像の開始や操作部材６５のユーザ操作に連動して出力されるものに限定されるわけではなく、例えば、着信音やメール受信音など、ユーザにとって不意に出力される効果音であってもよい。
【０１０５】
以上のような構成および処理により、デジタル撮像装置が撮像手段を有する携帯電話の場合であっても、煩雑な操作を伴うことなく、撮像手段を有する携帯電話が配置されている環境にあわせて効果音の音量を変更させることができる。また、着信音などの不意の効果音においても低減されることから、より効果的に環境の要求（場に応じたマナー等）に適合させることができる。
【０１０６】
＜４．変形例＞
以上、本発明の実施の形態について説明してきたが、この発明は上記実施の形態に限定されるものではなく様々な変形が可能である。
【０１０７】
例えば、上記実施の形態においては、環境状態に応じて効果音の音量を低減させる（低下あるいは停止させる）ものであったが、逆に、効果音の音量を増加させるものであってもよい。例えば、騒音があるなど環境音が比較的大きいときには、効果音が聞き取りにくくなる。このため、環境音が所定のしきい値よりも大となる環境では、効果音の音量を基準音量よりも増加させる。これにより、環境音が比較的大きい場合であっても、ユーザおよび被写体となる人物に対してデジタル撮像装置の動作を容易に認識させることができる。
【０１０８】
また、上記実施の形態において、効果音を出力すべきタイミングに連動して作動する表示手段はセルフタイマランプと兼用されていたが、被写体側に設けられるディスプレイや、フォーカス制御用の補助光を発光する発光素子など、他の表示手段と兼用されてもよい。また、これとは逆に、専用の表示手段が設けられていてもよい。
【０１０９】
また、上記第２の実施の形態においては、環境信号は静粛さが要求される環境であるか否かを示す情報が含まれたものであったが、他の情報をさらに含んだものであってもよい。例えば、効果音を出力すべきタイミングに連動して作動する表示手段の作動（セルフタイマランプ２３の発光等）が好ましくない環境であるか否かを示す情報を含ませるようにしてもよい。この環境信号に応じて表示手段の作動を制御するようにすれば、煩雑な操作を伴うことなく、デジタル撮像装置が配置されている環境にあわせて表示手段を非能動化することができる。また、このように環境信号に領域の状態を示す複数の情報を含めることで、デジタル撮像装置は、環境に固有の特質を詳細に取得することができ、環境の要求にさらに適合させることができる。
【０１１０】
また、デジタル撮像装置が配置されている環境状態は、環境音、環境光および環境信号の全てを考慮して検出されてもよく、また、このうちいずれか１つあるいは２つのみによって検出されてもよい。また、他の要素をさらに加味して環境状態が検出されるようにしてもよい。
【０１１１】
また、上記実施の形態では、ＣＰＵがプログラムに従って演算処理を行うことにより各種機能が実現されると説明したが、これら機能の全部または一部は専用の電気的回路により実現されてもよい。特に、繰り返し演算を行う箇所をロジック回路にて構築することにより、高速な演算が実現される。
【０１１２】
◎なお、上述した具体的実施の形態には以下の構成を有する発明が含まれている。
【０１１３】
（１）　請求項２に記載のデジタル撮像装置において、
前記音量変更手段は、前記環境音の大きさが所定のしきい値以下のとき、前記効果音の音量を基準音量より低減させることを特徴とするデジタル撮像装置。
【０１１４】
これによれば、静粛さが要求される環境では、環境音の大きさは比較的小さい。したがって、環境音の大きさが所定のしきい値以下のとき、効果音の音量を基準音量よりも低減させることにより、環境の要求に適合させることができる。
【０１１５】
（２）　請求項３に記載のデジタル撮像装置において、
前記音量変更手段は、前記環境光の明るさが所定のしきい値以下のとき、前記効果音の音量を基準音量より低減させることを特徴とするデジタル撮像装置。
【０１１６】
これによれば、静粛さが要求される環境では、環境光の明るさは比較的暗い。したがって、環境音の明るさが所定のしきい値以下のとき、効果音の音量を基準音量よりも低減させることにより、環境の要求に適合させることができる。
【０１１７】
（３）　請求項４に記載のデジタル撮像装置において、
前記環境信号は、前記領域が静粛さが要求される環境であるか否かを示す情報を含むものであり、
前記音量変更手段は、前記領域が静粛さが要求される環境であることを示す情報を前記環境信号が含むとき、前記効果音の音量を基準音量より低減させることを特徴とするデジタル撮像装置。
【０１１８】
これによれば、静粛さが要求される環境であるときに、効果音の音量を基準音量よりも低減させるため、環境の要求に適合させることができる。
【０１１９】
（４）　請求項１ないし４および上記（１）ないし（３）のいずれかに記載のデジタル撮像装置において、
表示内容が被写体側から視認可能な表示手段と、
前記音量変更手段により、前記効果音の音量が基準音量より低減されたとき、前記効果音出力手段が前記効果音を出力すべきタイミングに連動して、前記表示手段を作動させる表示制御手段と、
をさらに備えることを特徴とするデジタル撮像装置。
【０１２０】
これによれば、効果音の音量が基準音量より低減されたときであっても、効果音を出力すべきタイミングに連動して表示手段が作動するため、被写体となる人物に対してデジタル撮像装置の動作を認識させることができる。
【０１２１】
（５）　請求項５または上記（４）に記載のデジタル撮像装置において、
前記表示手段は、セルフタイマランプとしての機能を有することを特徴とするデジタル撮像装置。
【０１２２】
これによれば、表示手段がセルフタイマランプと兼用されるため、デジタル撮像装置を小型化することができ、コストアップに繋がることもない。
【０１２３】
（６）　請求項５ならびに上記（４）および（５）のいずれかに記載のデジタル撮像装置において、
前記表示手段の能動化／非能動化をユーザ設定に応じて切り替える切替手段、を備えることを特徴とするデジタル撮像装置。
【０１２４】
これによれば、表示手段の能動化／非能動化をユーザ設定に応じて切り替えることができるため、表示手段による発光等の表示が好ましくない環境において、表示手段を非能動化することができ、環境の要求にさらに適合させることができる。
【０１２５】
【発明の効果】
以上、説明したように、請求項１ないし５の発明によれば、デジタル撮像装置において、効果音に関連する機能を充実させることができる。
【０１２６】
特に請求項１の発明によれば、検出された環境状態に応じて効果音の音量が変更されるため、煩雑な操作を伴うことなく、デジタル撮像装置が配置されている環境にあわせて効果音の音量を変更することができる。
【０１２７】
また特に、請求項２の発明によれば、環境状態を環境音の大きさとして容易かつ的確に検出できる。また、簡易な構成で実現することができ、コストアップに繋がることもない。
【０１２８】
また特に、請求項３の発明によれば、環境状態を環境光の明るさとして容易かつ的確に検出できる。また、簡易な構成で実現することができ、コストアップに繋がることもない。
【０１２９】
また特に、請求項４の発明によれば、環境状態を環境信号として正確に検出することができ、環境状態の誤認識を防止することができる。
【０１３０】
また特に、請求項５の発明によれば、効果音の音量が基準音量より低減されたときであっても、効果音を出力すべきタイミングに連動して表示手段が作動するため、被写体となる人物に対してデジタル撮像装置の動作を認識させることができる。
【図面の簡単な説明】
【図１】デジタルカメラの外観構成を示す正面図である。
【図２】デジタルカメラの外観構成を示す背面図である。
【図３】第１の実施の形態のデジタルカメラの内部構成を示す図である。
【図４】効果音に関するユーザ設定を受け付ける処理の流れを示す図である。
【図５】基準音量レベルの設定を受け付ける画面表示の例を示す図である。
【図６】低減音量レベルの設定を受け付ける画面表示の例を示す図である。
【図７】音量変更条件の設定を受け付ける画面表示の例を示す図である。
【図８】低減時ランプ動作の設定を受け付ける画面表示の例を示す図である。
【図９】撮影モードの動作の流れを示す図である。
【図１０】第１の実施の形態の音量制御処理の流れを示す図である。
【図１１】出力音量レベルが基準音量レベルに設定された場合の動作を示す図である。
【図１２】出力音量レベルが低減音量レベルに設定された場合の動作を示す図である。
【図１３】デジタルカメラが適用される環境状態提供システムの構成例を示す図である。
【図１４】第２の実施の形態のデジタルカメラの内部構成を示す図である。
【図１５】第２の実施の形態の音量制御処理の流れを示す図である。
【図１６】撮像手段を有する携帯電話の背面側の外観構成を示す図である。
【図１７】撮像手段を有する携帯電話の内部構成を示す図である。
【符号の説明】
１ａ，１ｂ　デジタルカメラ
４　　　全体制御部
５　　　信号発信装置
１１　　　シャッタボタン
２３　　　セルフタイマランプ
２４　　　マイク
２７　　　スピーカ
２８　　　データ通信部
４７　　　効果音制御部
【図１】
2004096635.tif 000003
【図２】
2004096635.tif 000004
【図３】
2004096635.tif 000005
【図４】
2004096635.tif 000006
【図５】
2004096635.tif 000007
【図６】
2004096635.tif 000008
【図７】
2004096635.tif 000009
【図８】
2004096635.tif 000010
【図９】
2004096635.tif 000011
【図１０】
2004096635.tif 000012
【図１１】
2004096635.tif 000013
【図１２】
2004096635.tif 000014
【図１３】
2004096635.tif 000015
【図１４】
2004096635.tif 000016
【図１５】
2004096635.tif 000017
【図１６】
2004096635.tif 000018
【図１７】
2004096635.tif 000019